【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
ハイパーテキスト・トランスファ・プロトコル要求の再送方法であって：
クライアント端末により、サーバへハイパーテキスト・トランスファ・プロトコル（ＨＴＴＰ）要求を送信し、前記ＨＴＴＰ要求の情報を記録するステップ（Ｓ１００）と；
第１のウェブページから第２のウェブページへのリダイレクションが発生する場合に、前記第１のウェブページの状態で送信に失敗したＨＴＴＰ要求が存在すると判定されると、前記送信に失敗したＨＴＴＰ要求の情報を取得するステップ（Ｓ１０１）と；
前記送信に失敗したＨＴＴＰ要求の情報を前記第２のウェブページへ転送するステップ（Ｓ１０２）と；
前記第２のウェブページへのリダイレクションの後、前記送信に失敗したＨＴＴＰ要求の情報に従って、前記送信に失敗したＨＴＴＰ要求を再送するステップ（Ｓ１０３）と；を備える、
再送方法。
【請求項２】
前記送信に失敗したＨＴＴＰ要求は、前記サーバによって返信される成功の応答情報が受信されないＨＴＴＰ要求である、
請求項１に記載の再送方法。
【請求項３】
前記サーバによって返信される正常応答情報が受信されない全てのＨＴＴＰ要求を前記第１のウェブページの状態で記録するステップを更に備える、
請求項２に記載の再送方法。
【請求項４】
前記サーバによって返信される正常応答情報が受信されない全てのＨＴＴＰ要求を記録する前記ステップは：
前記クライアント端末がＨＴＴＰ要求を送信すると、前記ＨＴＴＰ要求を、送信に失敗した要求のリストに記録するステップと；
前記サーバによって返信される正常応答情報が受信されると、前記送信に失敗した要求のリストから前記ＨＴＴＰ要求を削除するステップと；を備える、
請求項３に記載の再送方法。
【請求項５】
前記サーバによって返信される正常応答情報が受信されない全てのＨＴＴＰ要求を記録する前記ステップは：
前記クライアント端末がＨＴＴＰ要求を送信すると、前記ＨＴＴＰ要求を、ＨＴＴＰ要求キャッシュプールに記録するステップと；
前記サーバによって返信される正常応答情報が受信されると、前記ＨＴＴＰ要求キャッシュプールから前記ＨＴＴＰ要求を削除するステップと；を備える、
請求項３に記載の再送方法。
【請求項６】
前記送信に失敗したＨＴＴＰ要求の情報を前記第２のウェブページへ転送する前記ステップは：
前記第２のウェブページに対応するウィンドウ名に、前記送信に失敗したＨＴＴＰ要求の情報を書き込むステップを備える、
請求項１に記載の再送方法。
【請求項７】
ハイパーテキスト・トランスファ・プロトコル要求の再送デバイスであって：
サーバへハイパーテキスト・トランスファ・プロトコル（ＨＴＴＰ）要求を送信するように構成された第１の送信部（４００）と；
前記ＨＴＴＰ要求の情報を記録するよう構成された第１の記録部（４０１）と；
第１のウェブページから第２のウェブページへのリダイレクションが発生する場合に、前記第１のウェブページの状態で送信に失敗したＨＴＴＰ要求が存在すると判定されると、前記送信に失敗したＨＴＴＰ要求の情報を取得するよう構成された取得部（４０２）と；
前記送信に失敗したＨＴＴＰ要求の情報を前記第２のウェブページへ転送するよう構成された転送部（４０３）と；
前記第２のウェブページへのリダイレクションの後、前記送信に失敗したＨＴＴＰ要求の情報に従って、前記送信に失敗したＨＴＴＰ要求を再送するように構成された第２の送信部（４０４）と；を備える、
再送デバイス。
【請求項８】
前記送信に失敗したＨＴＴＰ要求は、前記サーバによって返信される成功の応答情報が受信されないＨＴＴＰ要求である、
請求項７に記載の再送デバイス。
【請求項９】
前記サーバによって返信される正常応答情報が受信されない全てのＨＴＴＰ要求を前記第１のウェブページの状態で記録するよう構成された第２の記録部を更に備える、
請求項８に記載の再送デバイス。
【請求項１０】
前記第２の記録部は：
ＨＴＴＰ要求が送信されると、前記ＨＴＴＰ要求を、送信に失敗した要求のリストに記録するよう構成された第１の副要求記録部と；
前記サーバによって返信される正常応答情報が受信されると、前記送信に失敗した要求のリストから前記ＨＴＴＰ要求を削除するように構成された第１の副削除部と；を備える、
請求項９に記載の再送デバイス。
【請求項１１】
前記第２の記録部は：
ＨＴＴＰ要求が送信されると、前記ＨＴＴＰ要求を、ＨＴＴＰ要求キャッシュプールに記録するよう構成された第２の副要求記録部と；
前記サーバによって返信される正常応答情報が受信されると、前記ＨＴＴＰ要求キャッシュプールから前記ＨＴＴＰ要求を削除するよう構成された第２の副削除部と；を備える、
請求項９に記載の再送デバイス。
【請求項１２】
前記転送部は：
前記第２のウェブページに対応するウィンドウ名に、前記送信に失敗したＨＴＴＰ要求の情報を書き込むよう構成された副書込部を備える、
請求項７に記載の再送デバイス。
【手続補正２】
【補正対象書類名】明細書
【補正対象項目名】００５８
【補正方法】変更
【補正の内容】
【００５８】
本願は、上記で説明され、添付の図面に示されている正確な構造に限定されず、本願の範囲から逸脱することなく、様々な修正及び変形を有することができることを理解されたい。本願の範囲は、添付の特許請求の範囲によってのみ限定される。
［第１の局面］
ハイパーテキスト・トランスファ・プロトコル要求の再送方法であって：
クライアント端末により、サーバへハイパーテキスト・トランスファ・プロトコル（ＨＴＴＰ）要求を送信し、前記ＨＴＴＰ要求の情報を記録するステップと；
第１のウェブページから第２のウェブページへのリダイレクションが発生する場合に、前記第１のウェブページの状態で送信に失敗したＨＴＴＰ要求が存在すると判定されると、前記送信に失敗したＨＴＴＰ要求の情報を取得するステップと；
前記送信に失敗したＨＴＴＰ要求の前記情報を前記第２のウェブページへ転送するステップと；
前記第２のウェブページへのリダイレクションの後、前記送信に失敗したＨＴＴＰ要求の前記情報に従って、前記送信に失敗したＨＴＴＰ要求を再送するステップと；を備える、
再送方法。
［第２の局面］
前記送信に失敗したＨＴＴＰ要求は、前記サーバによって返信される成功応答情報が受信されないＨＴＴＰ要求である、
第１の局面に記載の方法。
［第３の局面］
前記サーバによって返信される正常応答情報が受信されない全てのＨＴＴＰ要求を前記第１のウェブページの状態で記録するステップを更に備える、
第２の局面に記載の方法。
［第４の局面］
前記サーバによって返信される正常応答情報が受信されない全てのＨＴＴＰ要求を記録する前記ステップは：
前記クライアント端末がＨＴＴＰ要求を送信すると、前記ＨＴＴＰ要求を、送信に失敗した要求のリストに記録するステップと；
前記サーバによって返信される正常応答情報が受信されると、前記送信に失敗した要求のリストから前記ＨＴＴＰ要求を削除するステップと；を備える、
第３の局面に記載の方法。
［第５の局面］
前記サーバによって返信される正常応答情報が受信されない全てのＨＴＴＰ要求を記録する前記ステップは：
前記クライアント端末がＨＴＴＰ要求を送信すると、前記ＨＴＴＰ要求をＨＴＴＰ要求キャッシュプールに記録するステップと；
前記サーバによって返信される正常応答情報を受信すると、前記ＨＴＴＰ要求キャッシュプールから前記ＨＴＴＰ要求を削除するステップと；を備える、
第３の局面に記載の方法。
［第６の局面］
前記送信に失敗したＨＴＴＰ要求の前記情報を前記第２のウェブページへ転送する前記ステップは：
前記第２のウェブページに対応するウィンドウ名に、送信に失敗した前記ＨＴＴＰ要求の前記情報を書き込むステップを備える、
第１の局面に記載の前記方法。
［第７の局面］
ハイパーテキスト・トランスファ・プロトコル要求の再送デバイスであって：
サーバへハイパーテキスト・トランスファ・プロトコル（ＨＴＴＰ）要求を送信するように構成された第１の送信部と；
前記ＨＴＴＰ要求の情報を記録するよう構成された第１の記録部と；
第１のウェブページから第２のウェブページへのリダイレクションが発生する場合に、前記第１のウェブページの状態で送信に失敗したＨＴＴＰ要求が存在すると判定されたら、前記送信に失敗したＨＴＴＰ要求の情報を取得するよう構成された取得部と；
前記送信に失敗したＨＴＴＰ要求の前記情報を前記第２のウェブページへ転送するよう構成された転送部と；
前記第２のウェブページへのリダイレクションの後、前記送信に失敗したＨＴＴＰ要求の前記情報に従って、前記送信に失敗したＨＴＴＰ要求を再送するように構成された第２の送信部と；を備える、
ハイパーテキスト・トランスファ・プロトコル要求の再送デバイス。
［第８の局面］
前記送信に失敗した前記ＨＴＴＰ要求は、前記サーバによって返信される成功応答情報が受信されないＨＴＴＰ要求である、
第７の局面に記載の再送デバイス。
［第９の局面］
前記サーバによって返信される正常応答情報が受信されない全てのＨＴＴＰ要求を前記第１のウェブページの状態で記録するよう構成された第２の記録部を更に備える、
第８の局面に記載の再送デバイス。
［第１０の局面］
前記第２の記録部は：
ＨＴＴＰ要求が送信されると、前記ＨＴＴＰ要求の送信に失敗した要求のリストに記録するよう構成された第１の副要求記録部と；
前記サーバによって返信される正常応答情報が受信されると、前記送信に失敗した要求のリストから前記ＨＴＴＰ要求を削除するように構成された第１の副削除部と；を備える、
第９の局面に記載の再送デバイス。
［第１１の局面］
前記第２の記録部は：
ＨＴＴＰ要求が送信されるとき、前記ＨＴＴＰ要求をＨＴＴＰ要求キャッシュプールに記録するよう構成された第２の副要求記録部と；
サーバによって返信される正常応答情報が受信されると、前記ＨＴＴＰ要求キャッシュプールから前記ＨＴＴＰ要求を削除するよう構成された第２の副削除部と；を備える、
第９の局面に記載の再送デバイス。
［第１２の局面］
前記転送部は：
前記第２のウェブページに対応するウィンドウ名に、前記送信に失敗したＨＴＴＰ要求の前記情報を書き込むよう構成された副書込部を備える、
第７の局面に記載の再送デバイス。
［第１３の局面］
クライアント端末であって：
プロセッサと；
前記プロセッサの実行可能命令を記憶するよう構成されたメモリと；を備え、
前記プロセッサは：
サーバへハイパーテキスト・トランスファ・プロトコル（ＨＴＴＰ）要求を送信し、前記ＨＴＴＰ要求の情報を記録し；
第１のウェブページから第２のウェブページへのリダイレクションが発生する場合に、前記第１のウェブページの状態で送信に失敗したＨＴＴＰ要求が存在すると判定されると、前記送信に失敗したＨＴＴＰ要求の情報を取得し；
前記送信に失敗したＨＴＴＰ要求の前記情報を前記第２のウェブページへ転送し；
前記第２のウェブページへのリダイレクションの後、前記送信に失敗したＨＴＴＰ要求の前記情報に従って、前記送信に失敗したＨＴＴＰ要求を再送するように構成された、
クライアント端末。